【手続補正書】
【提出日】平成20年12月2日(2008.12.2)
【手続補正１】
【補正対象書類名】特許請求の範囲
【補正対象項目名】全文
【補正方法】変更
【補正の内容】
【特許請求の範囲】
【請求項１】
案内レールと、該案内レールの左側面及び右側面に形成されたレール側軌道溝と各々対向する複数のスライダ側軌道溝を有するスライダ本体と、前記レール側軌道溝と前記スライダ側軌道溝との間に形成された転動体負荷転動路を転動する多数の転動体と、前記案内レールに沿って前記スライダ本体内に形成された転動体戻り路と前記転動体負荷転動路とを接続する複数の接続路を有する二つのエンドキャップと、前記レール側軌道溝と前記スライダ側軌道溝との間に介在する転動体をスライダ本体側に保持する二つの樹脂製転動体保持器とを備えてなり、前記転動体保持器が前記スライダ本体と前記エンドキャップとの間に介装される二つのプレート部と、前記案内レールに沿って前記プレート部の間に形成された転動体保持部とを有し、かつ前記プレート部に前記エンドキャップとの位置合せ部を設けた直動案内装置において、
前記転動体保持部の少なくとも一部が前記スライダ本体の内側面に弾性的に接触していることを特徴とする直動案内装置。
【請求項２】
前記スライダ本体と前記エンドキャップには、互いに嵌合する位置決め用の凹凸が設けられていることを特徴とする請求項１記載の直動案内装置。
【請求項３】
前記位置決め部は転動体循環Ｒ部案内面と一体に形成されていることを特徴とする請求項１又は２に記載の直動案内装置。
【請求項４】
請求項１〜３のいずれか一項記載の直動案内装置において、前記転動体保持部が前記スライダ本体の内側面に対して凸状に湾曲していることを特徴とする直動案内装置。
【請求項５】
直動案内装置のスライダ本体とエンドキャップとの間に介装される二つのプレート部と、前記直動案内装置の案内レールに沿って前記プレート部の間に形成された転動体保持部とを備えてなる樹脂製の転動体保持器において、前記転動体保持部が前記スライダ本体の内側面に対して凸状に湾曲していることを特徴とする転動体保持器。
【請求項６】
請求項５記載の転動体保持器を備えてなることを特徴とする直動案内装置。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】変更
【補正の内容】
【００１２】
請求項１の発明は、案内レールと、該案内レールの左側面及び右側面に形成されたレール側軌道溝と各々対向する複数のスライダ側軌道溝を有するスライダ本体と、前記レール側軌道溝と前記スライダ側軌道溝との間に形成された転動体負荷転動路を転動する多数の転動体と、前記案内レールに沿って前記スライダ本体内に形成された転動体戻り路と前記転動体負荷転動路とを接続する複数の接続路を有する二つのエンドキャップと、前記レール側軌道溝と前記スライダ側軌道溝との間に介在する転動体をスライダ本体側に保持する二つの樹脂製転動体保持器とを備えてなり、前記転動体保持器が前記スライダ本体と前記エンドキャップとの間に介装される二つのプレート部と、前記案内レールに沿って前記プレート部の間に形成された転動体保持部とを有し、かつ前記プレート部に前記エンドキャップとの位置合せ部を設けた直動案内装置において、前記転動体保持部の少なくとも一部が前記スライダ本体の内側面に弾性的に接触していることを特徴とする。
このような構成によると、転動体保持器はスライダ本体及びエンドキャップに対して高い位置合せ精度にて組み付けられるとともに、転動体保持部の振動を抑えるように転動体保持器がスライダに固定されるため、騒音特性及び作動性の面でより一層の向上を図ることができる。
【手続補正６】
【補正対象書類名】明細書
【補正対象項目名】００１３
【補正方法】変更
【補正の内容】
【００１３】
請求項２の発明は、請求項１記載の直動案内装置において、前記スライダと前記エンドキャップには、互いに嵌合する位置決め用の凹凸が設けられていることを特徴とする。
このような構成によると、エンドキャップとスライダ本体とを凹凸で位置決めすることでスライダに対する転動体保持器の固定力が強まるため、騒音特性の面でより一層の向上を図ることができる。また、エンドキャップがスライダ本体に強固に固定されるため、外力が作用した際でもスライダ本体に対するエンドキャップの位置ずれが発生し難くなり、取扱い性及び生産性の面で有利となる。
【手続補正７】
【補正対象書類名】明細書
【補正対象項目名】００１４
【補正方法】変更
【補正の内容】
【００１４】
請求項３の発明は、請求項１又は２に記載の直動案内装置において、前記位置決め部が転動体循環Ｒ部案内面と一体に形成されていることを特徴とする。
このような構成によると、スライダ本体に設けたエンドキャップ位置決め部と転動体戻り路を構成するスリーブの収容面とを同一面とし、転動体循環路を構成する循環Ｒ部案内面とスリーブ内の転動体戻り路とを高精度に接続することが可能となるため、作動性及び騒音特性の面でより一層の向上を図ることができる。
【手続補正８】
【補正対象書類名】明細書
【補正対象項目名】００１５
【補正方法】変更
【補正の内容】
【００１５】
請求項４の発明は、請求項１〜３のいずれか一項記載の直動案内装置において、前記転動体保持部が前記スライダ本体の内側面に対して凸状に湾曲していることを特徴とする。
このような構成によると、特許文献４に記載されたもののように、他の部品によってモーメントを付与する必要がないため、他部品との高い位置合せ精度が不要となり、生産性の面で有利となる。また、転動体保持器の転動体保持部がスライダ本体の内側面側に膨出するがごとく変形しているため、転動体保持器と案内レールとの干渉がなく、さらにまた、成形誤差等により転動体保持部が内側に大きく膨出してもスライダ本体内側面での転動体保持部の変形を抑え、転動体と転動体保持器との接触を防止することができる。そのため、転動体保持器の生産性を高めることができる。また、転動体保持部の真直性を保つために設ける転動体保持部への肉ぬすみの量を可及的に減少できるため、転動体保持部の強度が向上し、転動体に対する保持性が向上する。
【手続補正９】
【補正対象書類名】明細書
【補正対象項目名】００１６
【補正方法】変更
【補正の内容】
【００１６】
請求項５の発明は、直動案内装置のスライダ本体とエンドキャップとの間に介装される二つのプレート部と、前記直動案内装置の案内レールに沿って前記プレート部の間に形成された転動体保持部とを備えてなる樹脂製の転動体保持器において、前記転動体保持部が前記スライダ本体の内側面に対して凸状に湾曲していることを特徴とする。
このような構成によると、生産性が向上し、転動体に対する保持性が向上する。
【手続補正１０】
【補正対象書類名】明細書
【補正対象項目名】００１７
【補正方法】変更
【補正の内容】
【００１７】
請求項６の発明は、請求項５記載の転動体保持器を備えてなることを特徴とする。
このような構成によると、生産性や転動体保持性が向上するとともに、転動体保持部のスライダ本体内側面への押し圧が容易となって転動体保持部の振動が抑えられるので、騒音特性及び作動性の面でより一層の向上を図ることができる。
【手続補正１１】
【補正対象書類名】明細書
【補正対象項目名】００２８
【補正方法】変更
【補正の内容】
【００２８】
（第２実施形態）
次に、図８及び図９を参照して本発明の第２実施形態について説明する。なお、図１〜図７に示したものと同一部分には同一符号を付し、その詳細な説明は省略する。
図８に示すように、エンドキャップ１６は転動体保持器２２のプレート部２２１を収容するための空間部をスライダ本体１５との間に形成する二つのプレート部収容空間形成面１６１を有しており、これらのプレート部収容空間形成面１６１には、転動体保持器２２のプレート部２２１に形成された位置合せ用貫通孔２５（図９参照）に嵌合して通路接続孔２３の中心を転動体戻り路１９及び接続路２０の中心に一致させるための円柱状の位置決め用突起２６が設けられている。